(57)【要約】      （修正有）【課題】翼の状体の再現性を高めて飛行特性を安定させ、投球動作の練習器具として使用できる風船ロケットを提供する。【解決手段】膨張して円柱状になるプラスチック製の風船本体２と、プラスチックフィルムからなる少なくとも３以上の翼部３からなる風船ロケット１において、前記風船本体と前期翼部は直接固着され、すくなくとも前記翼部の後縁から前記風船本体まで連続して伸びる帯状の翼支持部材４を、前記翼部と前記風船本体にまたがるように取り付けた風船ロケットである。【選択図】図１
0003177683.tif 000002
【実用新案登録請求の範囲】
【請求項１】
膨張して円柱状になるプラスチック製の風船本体と、プラスチックフィルムからなる少なくとも３以上の翼部からなる風船ロケットにおいて、前記風船本体と前期翼部は直接固着され、前記翼部の後縁から前記風船本体まで連続して伸びる帯状の翼支持部材を取り付けたことを特徴とする、風船ロケット。
【請求項２】
さらに前記翼の前縁から前記風船本体まで連続して伸びる帯状の翼支持部材を取り付けたことを特徴とする、請求項１の風船ロケット。
【請求項３】
翼支持部材は、超延伸プラスチック材からなる、請求項１または請求項２の風船ロケット。
【考案の詳細な説明】
【技術分野】
【０００１】
本考案は、プラスチックフィルム製の風船に関するもので、特に槍投げのように投げて飛ばす長さ１ｍ前後のロケット型風船の本体を、プラスチックフィルムで構成した、飛行特性に優れた風船ロケットに関する。
【背景技術】
【０００２】
風船のように軽量な物体は飛行特性が不安定で、正しい投球動作で投げても常に安定した飛行をするものではないため、投球動作の練習には向かないものであった。飛行特性の改善の方法として、例えば特許文献１には、厚さ０．１ｍｍ、程度の軟質ポリエチレンフィルムを風船本体にヒートシールして尾翼機能を与えることが書かれている。
【先行技術文献】
【特許文献】
【０００３】
【特許文献１】特開平９−０５６９３４
【考案の概要】
【考案が解決しようとする課題】
【０００４】
しかしながら、特許文献１には、その翼部の複数の翼体が直立の位置からかなり倒れていても、異常振動しない限り機能する、あるいは、独りでに高さ５ｃｍ程度の翼体が起き上がり、大体ではあるが円柱状の風船から放射状に立つ状態になる、とも記載されているように、使用時の翼の状体の再現性が低いため飛行特性の改善が十分とは言えず、投球動作の練習に使うにはさらに飛行特性を安定させる必要があった。
【０００５】
本考案は、翼の状体の再現性を高めて飛行特性を安定させ、投球動作の練習器具として使用できる風船ロケットを提供することを目的とする。
【課題を解決するための手段】
【０００６】
本考案に関わる風船ロケットは、膨張して円柱状になるプラスチック製の風船本体と、プラスチックフィルムからなる少なくとも３以上の翼部からなる風船ロケットにおいて、風船本体と翼部は直接固着され、すくなくとも前記翼部の後縁から前記風船本体まで連続して伸びる翼支持部材を取り付けたことを特徴とするものである。
【０００７】
さらに翼の前縁から前記風船本体まで連続して伸びる帯状の翼支持部材を取り付けたことを特徴とする風船ロケットである。
【０００８】
また、翼支持部材は、超延伸プラスチック材からなることを特徴とした、風船ロケットである。
【０００９】
風船本体と翼部の固着方法としては、接着や溶着が好ましいがこれらに限定されるものではない。また翼支持部材とロケット本体および翼部との取り付ける方法としては、接着や溶着のほか、粘着性のテープを用いて着脱可能に取り付ける方法が採用できるが、これらに限定されるものではない。
【００１０】
翼支持部材は、曲げ剛性が翼部よりも高くなるような厚みとし、少なくとも翼部の後縁に沿い風船本体まで連続した帯状に取り付けられる。このように翼支持部材を取り付けることで使用時の翼の立ち上がり角度を安定させることができる。また、超延伸プラスチック材料は、ポロエチレン樹脂シートやポリエチレンテレフタレート樹脂シートなどが知られており、容易に塑性変形するので、翼支持部材に超延伸プラスチック材を使用すれば、風船ロケットを使用しないときは翼部をロケット本体に沿うように倒して運びやすくし、使用時には翼部を任意の角度に立てて繰り返し使用できる。
【考案の効果】
【００１１】
本考案によれば、翼部よりも剛性が高い翼支持部材を翼縁から風船本体まで連続して設けたので、使用時の翼の立ち上がり角度の再現性を高くできる。また、翼部の前縁や後縁に、翼部より曲げ剛性が高い翼支持部材を取り付けることで、飛行中の翼部の振動が抑えられる。さらに翼支持部材に超延伸プラスチック材を使用することで、繰り返し翼部の折りたたみと立ち上げが出来る。このような翼部の取り付け構造にしたので、飛行特性が安定し、投球動作の練習器具として使用することができる。
【図面の簡単な説明】
【００１２】
【図１】本考案の翼部の取り付け状体を示すものである。
【図２】本考案の別の翼部の取り付け状体を示すものである。
【図３】従来の風船ロケットを示す図である。
【考案を実施するための形態】
【００１３】
本考案の風船ロケット１は、長さ０．５ｍ乃至２ｍ、直径５ｃｍ乃至１０ｃｍ程度の太さで、厚さ０．１ｍｍ程度の軟質ポリエチレンフィルムチュ−ブの前部を丸くして風船本体２とし、逆止弁付き吹込口（図示せず）から空気を入れて円柱状に膨らませたものに翼部３を取り付けて、投球動作の練習ができるようにしたものである。翼部３は風船本体２の長軸方向に対して０度乃至１５度の角度で固着されている。
【００１４】
本実施例で述べる風船ロケットの寸法は、長さ１ｍ、直径６ｃｍであり、翼形状は本体と固着する長さが１５ｃｍ、高さは４ｃｍの台形状で、厚みは０．２ｍｍのものを使用した。
【実施例１】
【００１５】
図１は、本考案の実施例である。翼部３の後縁３Aから風船本体２まで連続するように翼支持部材４が帯状に配置されている。翼支持部材４と風船本体２および翼部３は、両面粘着テープで取り付けている。使用しないときは翼支持部材４を伸ばし、翼部３を風船本体２に沿う状体として運搬中の翼部３の破損を防ぎ、使用するときには翼支持部材４を翼部３と風船本体２の固着位置付近で折り曲げ、翼部３を立ち上げた状体とする。この例では、翼支持部材４には超延伸プラスチック材を使用している。また、翼支持部材４は翼部の手前側にのみ設けられているが、奥側にも設けることができる。
【実施例２】
【００１６】
図２は、本考案の別の実施例である。翼部３の後縁３Aと前縁３Bから風船本体２まで連続するように、翼支持部材４Aと４Bが各々帯状に配置されている。翼支持部材４A,４Bと風船本体２および翼部３は、溶着で取り付けられている。翼支持部材４Aと４Bには超延伸プラスチック材を使用している。この例では翼部の前縁３Bにも翼支持部材４Bが配置されるので、飛行中の翼部の振動が抑えられ、飛行特性がより安定する。
【００１７】
なお、この明細書中の飛行特性が安定するとは、主に直進性が高く、飛行姿勢の変化率が小さく、飛距離が長いことをいう。
【符号の説明】
【００１８】
１  風船ロケット
２  風船本体
３  翼部
３A  翼部の後縁
３B  翼部の前縁
４  超延伸プラスチック材
【図１】
0003177683.tif 000003
【図２】
0003177683.tif 000004
【図３】
0003177683.tif 000005
【手続補正書】
【提出日】平成24年6月11日(2012.6.11)
【手続補正１】
【補正対象書類名】実用新案登録請求の範囲
【補正対象項目名】請求項１
【補正方法】変更
【補正の内容】
【請求項１】
膨張して円柱状になるプラスチック製の風船本体と、プラスチックフィルムからなる少なくとも３以上の翼部からなる風船ロケットにおいて、前記風船本体と前記翼部は直接固着され、前記翼部の後縁から前記風船本体まで連続して伸びる帯状の翼支持部材を、前記翼部と前記風船本体にまたがるように取り付けたことを特徴とする、風船ロケット。
【手続補正２】
【補正対象書類名】実用新案登録請求の範囲
【補正対象項目名】請求項２
【補正方法】変更
【補正の内容】
【請求項２】
さらに前記翼部の前縁から前記風船本体まで連続して伸びる帯状の翼支持部材を、前記翼部と前記風船本体にまたがるように取り付けたことを特徴とする、請求項１の風船ロケット。